(57)【特許請求の範囲】
【請求項１】
物体側より像側へ順に、最も物体側に配置されたズーミングのためには移動しない第１のレンズ群からなる、または最も物体側に配置されたズーミングのためには移動しない第１のサブレンズ群を含む２つ以上のサブレンズ群からなる前レンズ群と、３つ以上のレンズを含み、サブレンズ群を含まず、負の屈折力を有する中レンズ群と、開口絞りと、サブレンズ群を含まず、ズーミングのために移動する第１の後レンズ群と、サブレンズ群を含まず、ズーミングのために移動する第２の後レンズ群と、サブレンズ群を含まず、ズーミングのためには移動しない第３の後レンズ群と、からなるズームレンズであって、
前記前レンズ群と、前記中レンズ群と、前記第１の後レンズ群と、前記第２の後レンズ群と、前記第３の後レンズ群とは、隣り合うレンズ群とレンズ群との間隔がいずれもズーミングのために変化し、かつ前記前レンズ群が２つ以上のサブレンズ群からなる場合は、さらに、隣り合うサブレンズ群とサブレンズ群との間隔、および隣り合うサブレンズ群とレンズ群との間隔がいずれもズーミングのために変化し、
前記前レンズ群は、最も物体側に負レンズが配置され、４つ以上のレンズからなり、且つ正の屈折力を有する１つ以上の前記前レンズ群を構成する前記第１のレンズ群の部分またはサブレンズ群を含み、前記前レンズ群を構成する前記第１のレンズ群または前記第１のサブレンズ群のうちの一部がフォーカシングのために移動し、
広角端での前記第１の後レンズ群の光軸方向の位置と望遠端での前記第１の後レンズ群の光軸方向の位置との差をＭｒ１とし、広角端での前記第２の後レンズ群の光軸方向の位置と望遠端での前記第２の後レンズ群の光軸方向の位置との差をＭｒ２とし、前記第２の後レンズ群の焦点距離をｆｒ２とし、広角端での前記ズームレンズの焦点距離をｆｗとし、Ｍｒ１は、前記第１の後レンズ群が望遠端で広角端でより像側に位置する場合に、正の符号をとるものとし、Ｍｒ２は、前記第２の後レンズ群が望遠端で広角端でより像側に位置する場合に、正の符号をとるものとして、
−０．８０＜Ｍｒ２／ｆｒ２＜０．４５
−２．０＜Ｍｒ２／ｆｗ＜０．３
−１５．０＜Ｍｒ１／Ｍｒ２＜２．０
なる条件式を満足することを特徴とするズームレンズ。
【請求項２】
前記第１の後レンズ群の焦点距離をｆｒ１として、
１．０＜｜ｆｒ１｜／ｆｗ＜１５．０
なる条件式を満足することを特徴とする請求項１に記載のズームレンズ。
【請求項３】
１．０＜｜ｆｒ２｜／ｆｗ＜５．５
なる条件式を満足することを特徴とする請求項１または請求項２に記載のズームレンズ。
【請求項４】
前記第１の後レンズ群と前記第２の後レンズ群とのうち少なくとも一方は、正の屈折力を有し、望遠端で広角端でより物体側に位置することを特徴とする請求項１ないし請求項３のうちいずれか１項に記載のズームレンズ。
【請求項５】
前記開口絞りは、ズーミングのためには移動しないことを特徴とする請求項１ないし請求項４のうちいずれか１項に記載のズームレンズ。
【請求項６】
前記第１の後レンズ群の焦点距離をｆｒ１として、
０．４４＜｜ｆｒ１／ｆｒ２｜＜４．９１
なる条件式を満足することを特徴とする請求項１ないし請求項５のうちいずれか１項に記載のズームレンズ。
【請求項７】
請求項１ないし請求項６のうちいずれか１項に記載のズームレンズと、
前記ズームレンズの像面に配された撮像素子と、
を有することを特徴とする撮像装置。
【発明の詳細な説明】
【技術分野】
【０００１】
本発明は、ズームレンズおよび撮像装置に関するものである。
【背景技術】
【０００２】
近年、高画質で被写界深度の浅い画を得る為に固体撮像素子の大型化が普及してきたが、カメラシステム全体の大型化を避ける為、ズームレンズはより一層の小型化が求められている。特に広角端の画角が広いズームレンズは前玉径が大きくなり易く、重量への影響も大きい事から、前玉径が小さく広角なズームレンズが望まれている。
【０００３】
従来から、小型で変倍比を効率良く確保出来るズームレンズとして、物体側より順に正、負、正の屈折力を有するレンズ群を配するズームレンズが知られている。例えば、特許文献１では物体側より順に正、負、負、絞り、正の屈折力を有するレンズ群を配し、第１レンズ群と第４レンズ群が固定で、第２レンズ群を負と正の屈折力を有するレンズ群に分割し、広角端の半画角が４０度程度のズームレンズが開示されている。特許文献２では物体側から正、負、絞り、正、負、正の屈折力を有するレンズ群を配し、第１群と第５群が固定で、広角端の半画角が４０度程度のズームレンズが開示されている。
【先行技術文献】
【特許文献】
【０００４】
【特許文献１】特開２０１５−２２１４６号公報
【特許文献２】特開２００９−１２８６２０号公報
【発明の概要】
【発明が解決しようとする課題】
【０００５】
正の屈折力を有する第１レンズ群がズーミングのためには移動せず、負の屈折力を有する第２レンズ群を像側へ移動させてズーミングを行なうズームレンズは、中間焦点距離の軸外光線が第１レンズ群内の有効径決定に影響する。その為、特許文献１では、第２レンズ群以降の合成焦点距離を望遠化し、第1レンズ群と第２レンズ群間の軸外光線角度を緩やかにして、第１レンズ群の有効径増大を抑制している。第２レンズ群以降は望遠化しているが、第１レンズ群の主点を像側へ寄せてズームレンズ全系の焦点距離は広角化されている。しかしながら、絞りより物体側のレンズ群のみでズーミングを行なっており、第１レンズ群から絞りまでの距離が長く、入射瞳が長くなる為、第１レンズ群と第２レンズ群の径が大きくなり易い。特許文献２では第２レンズ群を像側へ移動、第３レンズ群を物体側へ移動させている。絞りは第２レンズ群と第３レンズ群の間に配しズーミングに際して固定だが、広角端で第３レンズから離して物体側へ寄せて入射瞳を短く出来る為、第１レンズ群と第２レンズ群の径の増大を抑制し易い。しかしながら、ズーミングに際して第３レンズ群と第４レンズ群を大きく物体側へ移動させる為に広角端で第３レンズ群と第４レンズ群が像側に近くに位置しており、バックフォーカスが短くて交換レンズには適していない。
【０００６】
本発明は、例えば、長いバックフォーカス、広角、および小さい前玉径の点で有利なズームレンズを提供することを目的としている。
【課題を解決するための手段】
【０００７】
上記目的を達成するために、物体側より像側へ順に、最も物体側に配置されたズーミングのためには移動しない第１のレンズ群からなる、または最も物体側に配置されたズーミングのためには移動しない第１のサブレンズ群を含む２つ以上のサブレンズ群からなる前レンズ群と、３つ以上のレンズを含み、サブレンズ群を含まず、負の屈折力を有する中レンズ群と、開口絞りと、サブレンズ群を含まず、ズーミングのために移動する第１の後レンズ群と、サブレンズ群を含まず、ズーミングのために移動する第２の後レンズ群と、サブレンズ群を含まず、ズーミングのためには移動しない第３の後レンズ群と、からなるズームレンズであって、前記前レンズ群と、前記中レンズ群と、前記第１の後レンズ群と、前記第２の後レンズ群と、前記第３の後レンズ群とは、隣り合うレンズ群とレンズ群との間隔がいずれもズーミングのために変化し、かつ前記前レンズ群が２つ以上のサブレンズ群からなる場合は、さらに、隣り合うサブレンズ群とサブレンズ群との間隔、および隣り合うサブレンズ群とレンズ群との間隔がいずれもズーミングのために変化し、前記前レンズ群は、最も物体側に負レンズが配置され、４つ以上のレンズからなり、且つ正の屈折力を有する１つ以上の前記前レンズ群を構成する前記第１のレンズ群の部分またはサブレンズ群を含み、前記前レンズ群を構成する前記第１のレンズ群または前記第１のサブレンズ群のうちの一部がフォーカシングのために移動し、広角端での前記第１の後レンズ群の光軸方向の位置と望遠端での前記第１の後レンズ群の光軸方向の位置との差をＭｒ１とし、広角端での前記第２の後レンズ群の光軸方向の位置と望遠端での前記第２の後レンズ群の光軸方向の位置との差をＭｒ２とし、前記第２の後レンズ群の焦点距離をｆｒ２とし、広角端での前記ズームレンズの焦点距離をｆｗとし、Ｍｒ１は、前記第１の後レンズ群が望遠端で広角端でより像側に位置する場合に、正の符号をとるものとし、Ｍｒ２は、前記第２の後レンズ群が望遠端で広角端でより像側に位置する場合に、正の符号をとるものとして、
−０．８０＜Ｍｒ２／ｆｒ２＜０．４５
−２．０＜Ｍｒ２／ｆｗ＜０．３
−１５．０＜Ｍｒ１／Ｍｒ２＜２．０
なる条件式を満足することを特徴とする。
【発明の効果】
【０００８】
本発明によれば、例えば、長いバックフォーカス、広角、および小さい前玉径の点で有利なズームレンズを提供することができる。
【図面の簡単な説明】
【０００９】
【図１】数値実施例１の光学系のレンズ断面図である。
【図２】数値実施例１の広角端における収差図である。
【図３】数値実施例１の中間焦点距離における収差図である。
【図４】数値実施例１の望遠端における収差図である。
【図５】数値実施例２の光学系のレンズ断面図である。
【図６】数値実施例２の広角端における収差図である。
【図７】数値実施例２の中間焦点距離における収差図である。
【図８】数値実施例２の望遠端における収差図である。
【図９】数値実施例３の光学系のレンズ断面図である。
【図１０】数値実施例３の広角端における収差図である。
【図１１】数値実施例３の中間焦点距離における収差図である。
【図１２】数値実施例３の望遠端における収差図である。
【図１３】数値実施例４の光学系のレンズ断面図である。
【図１４】数値実施例４の広角端における収差図である。
【図１５】数値実施例４の中間焦点距離における収差図である。
【図１６】数値実施例４の望遠端における収差図である。
【図１７】本発明の撮像装置の実施形態を説明する為の図である。
【発明を実施するための形態】
【００１０】
本発明のズームレンズは、物体側より像側へ順に、前レンズ群、３枚以上のレンズを含み負の屈折力を有するＮｆレンズ群、開口絞り、ズーミングに際して移動する第１の後レンズ群、ズーミングに際して移動する第２の後レンズ群、ズーミングのためには移動しない第３の後レンズ群、を含む。また、前レンズ群は、最も物体側に配置されたズーミングのためには移動しない第１のレンズ群を含む１つ以上のレンズ群から構成され、４枚以上のレンズを含み、且つ正の屈折力を有する１つ以上のレンズ群を含むことを特徴とする。
【００１１】
本発明では、開口絞りより物体側に少なくとも一つの正の屈折力を有するレンズ群と少なくとも一つの負の屈折力を有するレンズ群を有し、前記正と負の屈折力を有するレンズ群の間隔変化でズーミング可能な構成としている。
【００１２】
最も物体側に配される第１レンズ群は重い為、ズーミングのためには移動せず、ズーミングに必要な駆動力の増加を防いでいる。
【００１３】
開口絞りの物体側に隣接して配置されるＮｆレンズ群は負の屈折力を有するレンズ群とする事で入射瞳を短くして前玉径増大を抑制している。また、Ｎｆレンズ群は少なくとも３枚のレンズを有し、ズーミングの際の像面湾曲や倍率色収差の変動を補正できる構成としている。
【００１４】
開口絞りより物体側はＮｆレンズ群を除くと少なくとも４枚のレンズを有し（前レンズ群は少なくとも４枚のレンズから構成され）、広角端の歪曲収差や望遠端の軸上色収差を補正できる構成としている。
【００１５】
開口絞りより像側には、物体側から像側へ順に、第１の後レンズ群、第２の後レンズ群、第３の後レンズ群の３つのレンズ群を有し、第１の後レンズ群と第２の後レンズ群をズーミングに際して移動させている。開口絞りより像側のレンズ群にズーミング効果を持たせる事で、ズーミングに際して開口絞りより物体側のレンズ群の移動量が短くなる。その結果、開口絞りを物体側に近づけて配置する事が可能となり、入射瞳が短くなる為、前玉径の大型化が抑制出来る。
【００１６】
第３の後レンズ群はズーミングのためには移動しない。移動によりバックフォーカスが短くなるのを防ぐと共に、製造誤差によりバックフォーカスがずれた際に、最終群全体もしくは一部を光軸方向に調整する事でズーミング位置によらず一定の量だけバックフォーカス調整を可能としている。
【００１７】
更に、次の条件式を満足している。
−０．８０＜Ｍｒ２／ｆｒ２＜０．４５  …（１）
但し、Ｍｒ２は第２の後レンズ群の広角端と望遠端の光軸方向の位置差、ｆｒ２は第２の後レンズ群の焦点距離、Ｍｒ２は広角端に対して望遠端で像側に位置する場合に正の符号とする。
【００１８】
条件式（１）は第２の後レンズ群の広角端と望遠端の光軸方向の位置差と第２の後レンズ群の焦点距離の比を規定した式である。条件式（１）の上限値を超えても下限値を超えても、第２の後レンズ群の屈折力が大きくなり、歪曲収差や像面湾曲のズーミング時の変動が増加してしまう。
【００１９】
更に、以下の条件式を満足している。
−２．０＜Ｍｒ２／ｆｗ＜０．３  …（２）
但し、ｆｗは広角端の焦点距離とする。
【００２０】
条件式（２）は第２の後レンズ群の広角端と望遠端の光軸方向の位置差と広角端の焦点距離の比を規定した式である。条件式（２）の上限値を超えた場合、第２の後レンズ群と第３の後レンズ群との間隔が広角端で広くなる為、全長が長くなり好ましくない。逆に下限値を超えた場合、第２の後レンズ群が第３の後レンズ群の移動を妨げてしまい、ズーミングの際の球面収差や像面湾曲の変動を抑制する事が困難となる。
【００２１】
更に、以下の条件式を満足している。
−１５．０＜Ｍｒ１／Ｍｒ２＜２．０  …（３）
但し、Ｍｒ１は第１の後レンズ群の広角端と望遠端の光軸方向の位置差、Ｍｒ１は広角端に対して望遠端で像側に位置する場合に正の符号とする。
【００２２】
条件式（３）は第１の後レンズ群の広角端と望遠端の光軸方向の位置差と第２の後レンズ群の広角端と望遠端の光軸方向の位置差を規定した式である。条件式（３）の上限値を超えても下限値を超えても、第２の後レンズ群の移動量が小さく、ズーミングの際の球面収差や像面湾曲の変動を抑制する事が困難となる。
【００２３】
以上で本発明の目的は達成されるが、本発明は、以下の条件式を満足するのが望ましい。
１．０＜｜ｆｒ１｜／ｆｗ＜１５．０  …（４）
但し、ｆｒ１は第１の後レンズ群の焦点距離とする。
【００２４】
条件式（４）は第１の後レンズ群の焦点距離と広角端の焦点距離の比を規定した式である。条件式（４）の上限値を超えた場合、ズーミングの際の像面補正の為に第２の後レンズ群で移動軌跡が限定され、ズーミングの際の像面湾曲や倍率色収差の変動の抑制が困難となる。逆に下限値を超えた場合、球面収差の補正が困難となる。
【００２５】
また、本発明は、以下の条件式を満足するのが望ましい。
１．０＜｜ｆｒ２｜／ｆｗ＜５．５  …（５）
条件式（５）は第２の後レンズ群の焦点距離と広角端の焦点距離の比を規定した式である。条件式（４）の上限値を超えた場合、ズーミングの際の像面補正の為に第１の後レンズ群で移動軌跡が限定され、ズーミングの際の球面収差や像面湾曲の変動の抑制が困難となる。逆に下限値を超えた場合、倍率色収差や像面湾曲の補正が困難となる。
【００２６】
また、本発明は、第１の後レンズ群と第２の後レンズ群の少なくとも一方の群は、正の屈折力を有し広角端に対して望遠端で物体側に位置するのが望ましい。
【００２７】
開口絞りより物体側の正の屈折力を有するレンズ群とＮｆレンズ群との間隔変化だけではなく、Ｎｆレンズ群と開口絞りより像側の正の屈折力を有するレンズ群との間隔変化でもズーミングさせる事が可能となり、短いレンズ全長の中で効率良くズーミングが可能となる。
【００２８】
また、本発明は、ズーミングのためには開口絞りは光軸方向に移動しないことが望ましい。
開口絞りを光軸方向に移動させるには鏡筒構造や電気配線の引き回しが煩雑になる為、好ましくない。
【００２９】
また、本発明は、第１レンズ群内の一部でフォーカシングを行なうのが望ましい。
固定の第１レンズ群内でフォーカシングする事で、ズーミング位置によらずフォーカス群の移動量が一定となり、簡素な鏡筒構造でもズーミング位置によらずマニュアル操作時の操作環の回転角を一定にする事が出来る。また、製造誤差が生じた際、第１レンズ以外の群の焦点距離誤差があってもフォーカスの移動量は変化しない為、無限遠から所望の被写体距離までの操作環の回転角の製造誤差も少ない。
【００３０】
また、本発明は、以下の条件式を満足するのが望ましい。
０．４４＜｜ｆｒ１／ｆｒ２｜＜４．９１  …（６）
条件式（６）は第１の後レンズ群の焦点距離と第２の後レンズ群の焦点距離の比を規定した式である。条件式（６）の上限値を超えた場合、ズーミングの際の像面湾曲や倍率色収差の変動の抑制が困難となる。逆に下限値を超えた場合、球面収差の補正が困難となる
【００３１】
なお、条件式（１）〜（４）の数値範囲は以下の如く特定するのが更に望ましい。
−０．４１＜Ｍｒ２／ｆｒ２＜０．４３  …（１ａ）
−１．６＜Ｍｒ２／ｆｗ＜０．１  …（２ａ）
−１４．２＜Ｍｒ１／Ｍｒ２＜１．３  …（３ａ）
１．４＜｜ｆｒ１｜／ｆｗ＜１２．５  …（４ａ）
２．５＜｜ｆｒ２｜／ｆｗ＜５．３  …（５ａ）
０．４７＜｜ｆｒ１／ｆｒ２｜＜４．６９  …（６ａ）
【００３２】
以下に、本発明の好ましい実施の形態を、添付の図面に基づいて詳細に説明する。
【００３３】
図１、５、９、１３は、後述する数値実施例１〜４のレンズ断面図、図２〜４、６〜８、１０〜１２、１４〜１６はそれぞれ各数値実施例の収差図である。図２〜４、６〜８、１０〜１２、１４〜１６において、図２、６、１０、１４は広角端における収差図、図３、７、１１、１５は中間焦点距離における収差図、図４、８、１２、１６は望遠端における収差図である。収差図において、ｄ、ｇはｄ線及びｇ線、Ｍ、Ｓはメリジオナル像面、サジタル像面、倍率色収差はｇ線によって表している。
【００３４】
図１、５、９、１３のレンズ断面図において、Ｌ１〜Ｌ６はそれぞれ第１〜６レンズ群、ＳＰは開口絞り、ＳＰ２は開放Ｆ値を決定する為に開口径を変化させる補助絞り、ＰはＣＣＤのフェースプレートやローパスフィルター等のガラスブロック、Ｉは像面である。
【００３５】
実施例１、３，４においては、第１レンズ群Ｌ１が前レンズ群に対応し、第２レンズ群Ｌ２がＮｆレンズ群、第３レンズ群Ｌ３が第１の後レンズ群、第４レンズ群Ｌ４が第２の後レンズ群、第５レンズ群Ｌ５が第３の後レンズ群に対応する。実施例２においては、第１レンズ群Ｌ１と第２レンズ群Ｌ２が前レンズ群を構成し、第３レンズ群Ｌ３がＮｆレンズ群、第４レンズ群Ｌ４が第１の後レンズ群、第５レンズ群Ｌ５が第２の後レンズ群、第６レンズ群Ｌ６が第３の後レンズ群に対応する。実施例２においては、前レンズ群内で正の屈折力を有するレンズ群は第２レンズ群であり、第１レンズ群は負の屈折力を有する。
【００３６】
補助絞りを有している実施例１、２は、補助絞りの用いずに開口絞りの開放径をズーミング位置によって変化させても良い。本実施形態においては、広角端から望遠端への変倍に際して、図１、５、９、１３、の矢印のように各群を移動させている。実施例１、３、４では第１レンズ群中の物体側から４枚目のレンズを移動させてフォーカシングを行なっている。実施例２では第１レンズ群中の物体側から２枚目と３枚目を一体で移動させてフォーカシングを行なっている。また、最終レンズ群（実施例１、３、４の第５レンズ群、実施例２の第６レンズ群）もしくは最終レンズ群内の一部を光軸方向に移動させる事でバックフォーカスの調整が可能である。
【００３７】
以下に本発明の数値実施例を記載する。
【００３８】
数値実施例において、ｒｉは物体側より順に第ｉ目の面の曲率半径、ｄｉ第ｉ目の面と第ｉ＋１番目の面の間隔（レンズ厚あるいは空気間隔）、ｎｄｉとνｄｉはそれぞれ第ｉ番目のレンズの材質の屈折率とアッベ数である。
【００３９】
非球面形状は、光軸方向にＸ軸、光軸と垂直方向ｈ軸、光の進行方向を正とし、Ｒを近軸曲率半径、各非球面係数をｋ、Ａ４、Ａ６、Ａ８、Ａ１０、Ａ１２、Ａ１４、Ａ１６としたとき、
【数１】
0006549966.tif 000002
なる式で表している。
また、例えば「ｅ−Ｚ」の表示は「１０−Ｚ」を意味する。
半画角は光線追跡で求めた値である。ＢＦはバックフォーカスである。
【００４０】
（数値実施例１）
単位 mm
面データ
面番号       r        d      nd         vd
1*        95.971    2.25   1.77250    49.6           
2         25.008   18.76                             
3        -46.148    2.24   1.59522    67.7           
4       -208.758    0.86                             
5         89.944    4.49   1.85478    24.8           
6      -3391.978    1.10                             
7         71.585    6.51   1.48749    70.2           
8*      -112.413    7.72                             
9       1244.744    1.48   1.85478    24.8           
10         44.958    0.78                             
11         56.753    5.34   1.49700    81.5           
12       -117.331    0.17                             
13         72.173    5.31   1.72000    50.2           
14        -89.503  (可変)                             
15        156.184    0.98   1.91082    35.3           
16         28.295    2.14                             
17        342.322    0.90   1.58913    61.1           
18         23.925    3.65   1.80809    22.8           
19        195.693    1.79                             
20        -41.778    0.91   1.80400    46.6           
21       -170.760  (可変)                             
22(開口絞り) ∞      1.50                             
23(補助絞り) ∞    (可変)                             
24         28.270    4.15   1.55332    71.7           
25*       156.238  (可変)                             
26         40.158    1.23   1.85478    24.8           
27         27.673    1.64                             
28         44.510    4.34   1.49700    81.5           
29        -57.595  (可変)                             
30        106.538    0.99   2.00069    25.5           
31         53.892    1.49                             
32        951.384    1.00   1.53996    59.5           
33         31.516    2.40   1.95906    17.5           
34         44.832    6.13                             
35         89.410    4.48   1.49700    81.5           
36        -65.111    0.17                             
37         97.933    5.81   1.49700    81.5           
38        -30.528    1.14   1.80610    33.3           
39       -119.681  (可変)                             
40          ∞       2.39   1.51633    64.1           
41          ∞       0.50                             
42          ∞       1.00                             
像面        ∞   
非球面データ
第1面
K = 6.75370e+000  A 4= 1.49928e-006  A 6=-1.36094e-010  A 8=-2.25783e-012  A10= 2.94187e-015  A12=-1.92140e-018  
第8面
K = 7.11393e-001  A 4= 9.77054e-007  A 6=-7.78879e-010  A 8=-2.85446e-012  A10= 5.55537e-015  A12=-5.06973e-018  
第25面
K =-2.45680e+000  A 4= 7.68788e-006  A 6=-1.82317e-009  A 8= 2.96287e-011  A10=-1.51304e-013  A12= 2.06060e-016  
各種データ
ズーム比     4.29 
焦点距離      18.54    32.08    79.52  
Fナンバー      4.12     4.12     4.12  
半画角        38.60    24.77    10.54  
像高          14.80    14.80    14.80  
レンズ全長   221.38   221.38   221.38  
BF            48.70    48.70    48.70  
d14            0.93    16.87    32.81  
d21           33.64    17.70     1.76  
d23           17.93    14.57     1.46  
d25           13.79     8.58     2.07  
d29            2.55    11.13    30.74  
d39           45.62    45.62    45.62  
ズームレンズ群データ
群  始面     焦点距離  
1    1       51.80  
2   15      -28.12  
3   22        ∞    
4   24       61.67  
5   26       94.37  
6   30     3422.50  
7   40        ∞    
【００４１】
（数値実施例２）
単位 mm
面データ
面番号       r        d      nd         vd
1*        69.375    2.40   1.58313    59.4           
2         25.762   24.85                             
3        -79.941    1.67   1.69680    55.5           
4         71.806    0.17                             
5         61.521    3.25   1.80518    25.4           
6        215.702  (可変)                             
7        177.549    1.55   1.92286    18.9           
8         49.395    4.27   1.80400    46.6           
9       -122.318    0.17                             
10         63.868    3.21   1.59522    67.7           
11       -208.494    0.17                             
12         59.430    2.89   1.49700    81.5           
13       -428.708  (可変)                             
14(補助絞り) ∞      1.50                             
15        -46.620    0.70   1.77250    49.6           
16         59.718    1.35                             
17        -51.615    0.72   1.90043    37.4           
18         27.561    2.62   1.92286    18.9           
19       -324.069    2.56                             
20(開口絞り) ∞    (可変)                             
21         62.849    0.80   1.77250    49.6           
22         21.365    4.87   1.53775    74.7           
23        -40.044    0.17                             
24*        28.094    3.18   1.49710    81.6           
25*      -122.434  (可変)                             
26         81.102    3.09   1.69680    55.5           
27        -32.436    0.17                             
28        -39.287    0.80   1.63930    44.9           
29         19.795  (可変)                             
30         48.924    5.79   1.49700    81.5           
31        -36.092    0.17                             
32        -41.516    1.11   1.62588    35.7           
33      -1352.163  (可変)                             
34          ∞       2.39   1.51633    64.1           
35          ∞       0.50                             
36          ∞       1.00                             
像面        ∞   
非球面データ
第1面
K = 2.65155e+000  A 4= 1.43592e-006  A 6=-1.45741e-010  A 8= 1.74224e-013  
第24面
K = 6.48243e-001  A 4=-4.64544e-006  A 6= 2.87036e-011  A 8= 2.63846e-011  
第25面
K =-8.47515e+001  A 4=-2.24737e-007  A 6= 1.92717e-008  A 8= 3.74377e-011  
各種データ
ズーム比     4.15 
焦点距離      18.54    35.72    77.00  
Fナンバー      4.12     4.12     4.12  
半画角        38.60    22.50    10.88  
像高          14.80    14.80    14.80  
レンズ全長   178.77   178.77   178.77  
BF            39.44    39.44    39.44  
d 6           41.08    21.52     1.97  
d13            0.84    10.10    27.81  
d20           14.65     8.80     2.10  
d25            6.32     4.73     7.49  
d29            2.24    19.96    25.75  
d33           36.36    36.36    36.36  
ズームレンズ群データ
群  始面     焦点距離  
1    1      -38.29  
2    7       33.15  
3   14      -22.85  
4   21       27.88  
5   26      -56.80  
6   30      106.33  
7   34        ∞    
【００４２】
（数値実施例３）
単位 mm
面データ
面番号       r        d      nd         vd
1*       201.032    3.57   1.73077    40.5           
2         27.038   18.68                             
3       -178.651    2.06   1.73400    51.5           
4        155.792    0.17                             
5         62.603    7.06   1.89286    20.4           
6        203.565    1.99                             
7        117.879    9.25   1.59522    67.7           
8*      -148.955    9.43                             
9        291.720    1.59   1.90270    31.0           
10         30.366   10.56   1.49700    81.5           
11       -156.526    0.35                             
12         52.574    7.47   1.64850    53.0           
13        -61.857  (可変)                             
14       -160.128    0.99   1.88300    40.8           
15         25.707    4.99                             
16        -49.237    1.14   1.43875    94.9           
17         31.343    5.06   1.85478    24.8           
18        741.898  (可変)                             
19(開口絞り) ∞    (可変)                             
20        -46.003    1.27   1.53775    74.7           
21        -80.576  (可変)                             
22         34.999    6.09   1.59270    35.3           
23*       162.682   11.40                             
24         61.362    1.17   1.95906    17.5           
25         32.318    6.25   1.48749    70.2           
26        -45.582  (可変)                             
27       -565.123    4.67   1.95906    17.5           
28        -26.967    1.39   1.90270    31.0           
29         57.592    4.13                             
30         66.364    4.64   1.48749    70.2           
31        -58.857    0.17                             
32         46.998    6.16   1.49700    81.5           
33        -42.805    1.18   2.00069    25.5           
34       2793.827  (可変)                             
35          ∞       2.39   1.51633    64.1           
36          ∞       1.00                             
像面        ∞   
非球面データ
第1面
K = 3.00774e+001  A 4= 2.05021e-006  A 6=-7.25063e-010  A 8=-5.54040e-013  A10= 2.01958e-015  A12=-3.58602e-018  A14= 3.05968e-021  A16=-1.05802e-024  
第8面
K =-1.28249e-001  A 4= 9.99030e-007  A 6=-4.91783e-010  A 8=-3.88175e-012  A10= 1.26529e-014  A12=-3.32029e-017  A14= 4.83260e-020  A16=-2.94324e-023  
第23面
K = 4.03999e+001  A 4= 5.32482e-006  A 6=-9.26453e-010  A 8= 9.19090e-012  A10=-3.97424e-014  
各種データ
ズーム比     4.31 
焦点距離      17.03    46.18    73.36  
Fナンバー      4.12     4.12     4.12  
半画角        41.00    17.77    11.41  
像高          14.80    14.80    14.80  
レンズ全長   261.21   261.21   261.21  
BF            58.90    58.90    58.90  
d13            1.00    27.33    33.91  
d18           35.20     8.87     2.29  
d19           15.53     5.15     5.23  
d21            7.62     9.68     1.00  
d26           10.10    18.41    27.01  
d34           56.33    56.33    56.33  
ズームレンズ群データ
群  始面     焦点距離  
1    1       41.25  
2   14      -27.99  
3   19        ∞    
4   20     -201.96  
5   22       45.25  
6   27     2000.00  
7   35        ∞    
【００４３】
（数値実施例４）
単位 mm
面データ
面番号       r        d      nd         vd
1*       142.107    2.97   1.77250    49.6           
2         30.833   19.23                             
3       -214.418    2.25   1.63854    55.4           
4        193.318    0.17                             
5         61.723    6.53   1.84666    23.8           
6        125.558    1.26                             
7         97.080    5.98   1.58313    59.4           
8*      -189.724   11.66                             
9        245.465    1.71   1.80000    29.8           
10         35.310    9.71   1.49700    81.5           
11       -162.533    0.17                             
12         65.776    8.03   1.63854    55.4           
13        -77.715  (可変)                             
14        -91.062    0.99   1.83481    42.7           
15         28.912    3.84                             
16        -42.067    1.19   1.49700    81.5           
17         30.945    3.61   1.85478    24.8           
18        474.495  (可変)                             
19(開口絞り) ∞    (可変)                             
20*        34.929    5.84   1.58313    59.4           
21*       188.561    7.42                             
22         62.689    1.29   2.00069    25.5           
23         32.976    6.65   1.48749    70.2           
24        -41.767  (可変)                             
25       -110.109    3.39   1.95906    17.5           
26        -27.760    1.09   1.85478    24.8           
27        110.961  (可変)                             
28        155.225    3.89   1.48749    70.2           
29        -71.770   12.40                             
30         56.836    6.63   1.49700    81.5           
31        -39.229    1.25   1.91082    35.3           
32       -795.036  (可変)                             
33          ∞       2.39   1.51633    64.1           
34          ∞       1.00                             
像面        ∞   
非球面データ
第1面
K = 9.60256e+000  A 4= 9.02841e-007  A 6= 6.57246e-010  A 8=-2.34864e-012  A10= 3.36885e-015  A12=-2.34122e-018  A14= 6.42583e-022  A16=-2.10451e-026  
第8面
K =-7.19297e+001  A 4=-4.48892e-007  A 6= 1.30222e-009  A 8=-2.14328e-012  A10= 1.12728e-015  A12= 6.02779e-019  A14=-6.86578e-022  A16=-3.24205e-025  
第20面
K = 3.22915e+000  A 4=-7.43684e-006  A 6=-1.64141e-008  A 8=-4.87770e-011  A10=-4.23427e-014  A12=-2.24623e-016  A14=-3.93621e-018  A16= 6.48189e-021  
第21面
K = 1.62572e+002  A 4= 6.39763e-006  A 6= 5.31874e-010  A 8=-4.54040e-011  A10= 1.44685e-013  A12=-5.92999e-016  A14= 5.71689e-019  A16=-1.89487e-020  
各種データ
ズーム比     5.49 
焦点距離      18.54    56.09   101.76  
Fナンバー      4.12     4.12     4.12  
半画角        38.60    14.78     8.28  
像高          14.80    14.80    14.80  
レンズ全長   256.18   256.18   256.18  
BF            42.19    42.19    42.19  
d13            1.00    28.34    35.17  
d18           36.53     9.19     2.36  
d19           24.21    16.90     2.97  
d24            2.79    15.03    25.59  
d27           20.31    15.37    18.74  
d32           39.61    39.61    39.61  
ズームレンズ群データ
群  始面     焦点距離  
1    1       48.32  
2   14      -24.83  
3   19        ∞    
4   20       43.10  
5   25      -78.50  
6   28       99.75  
7   33        ∞   
【００４４】
前述の各条件式と数値実施例における諸数値との関係を表１に示す。
【表１】
0006549966.tif 000003
【００４５】
以上説明した様に、各実施例によれば、小型且つ軽量で、Ｆ値が明るい広角ズームレンズを実現する事ができる。
【００４６】
次に本発明のズームレンズを撮影光学系として用いたカメラの実施形態について図１７を用いて説明する。
【００４７】
図１７は各実施例のズームレンズを撮影光学系として用いた撮像装置（テレビカメラシステム）の概略図である。図１７において１０１は実施例１〜６のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用のレンズ群Ｒを有している。第１レンズ群Ｆは合焦用レンズ群が含まれている。ＳＰは開口絞りである。１１４、１１５は各々第１レンズ群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。なお、レンズ群Ｒ内に移動群を有するズームレンズの場合は、１１４〜１２１同様の構成がレンズ群Ｒにも付加される。カメラ１２４において、１０９はカメラ１２４内の光学フィルターや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００４８】
なお、撮像素子にＣＣＤ等の電子撮像素子を用いれば、電子的に収差補正をする事で出力画像を更に高画質化する事ができる。
【００４９】
以上、本発明の好ましい実施形態について説明したが、本発明はこれらの実施形態に限定されず、その要旨の範囲内で種々の変形及び変更が可能である。
【符号の説明】
【００５０】
Ｌ１  第１レンズ群（前レンズ群）
Ｌ２  第２レンズ群（第１，３，４実施例：ＮＦレンズ群、第２実施例：前レンズ群）
Ｌ３  第３レンズ群（第１，３，４実施例：第１の後レンズ群、第２実施例：Ｎｆレンズ群）
Ｌ４  第４レンズ群（第１，３，４実施例：第２の後レンズ群、第２実施例：第１の後レンズ群）
Ｌ５  第５レンズ群（第１，３，４実施例：第３の後レンズ群、第２実施例：第２の後レンズ群）
Ｌ６  第６レンズ群（第２実施例：第３の後レンズ群）
ＳＰ  開口絞り
【図１】
0006549966.tif 000004
【図２】
0006549966.tif 000005
【図３】
0006549966.tif 000006
【図４】
0006549966.tif 000007
【図５】
0006549966.tif 000008
【図６】
0006549966.tif 000009
【図７】
0006549966.tif 000010
【図８】
0006549966.tif 000011
【図９】
0006549966.tif 000012
【図１０】
0006549966.tif 000013
【図１１】
0006549966.tif 000014
【図１２】
0006549966.tif 000015
【図１３】
0006549966.tif 000016
【図１４】
0006549966.tif 000017
【図１５】
0006549966.tif 000018
【図１６】
0006549966.tif 000019
【図１７】
0006549966.tif 000020